(57)【要約】【課題】ブラインド巻き上げ装置の提供。【解決手段】本考案は、ブラインドのよろい板の巻き上げまたは展開する巻き上げ装置を利用者に提供し、捲線プーリーと結合する第１歯車と第２歯車構造、第１歯車と第２歯車の回転を同期に制御する同期制御部材により、巻き上げまたは展開操作において、第１捲線プーリー、第２捲線プーリーを介して、引き紐の巻き上げまたは展開速度を一致させ、よろい板が巻き上げた、または展開操作後に高さの不一致を防止し、製品寿命を延長する。【選択図】図５
0003122092.tif 000002
【実用新案登録請求の範囲】
【請求項１】
一種ブラインド巻き上げ装置において、中空ケース体、捲線プーリー組、２枚のばね板、および制御組より構成し、そのうち、ケース体内部に２本の突起棒を向かい合わせて設け、その両端に開口部、片側に孔を設け、捲線プーリー組は２本の突起棒と回転軸接続する第１捲線プーリー、第２捲線プーリーを設け、第１捲線プーリー、第２捲線プーリーの内側に収容溝を設け、２枚のばね板は、第１捲線プーリー、第２捲線プーリーの収容溝に取り付けて、ばね板は収容溝内側に固定する第１相継ぎ端と突起棒に固定する第２相継ぎ端を設け、制御組は係止め部材、押し棒、およびばねより構成し、係止め部材はケース体内部に備える第１捲線プーリー、第２捲線プーリーの間に設け、両側を突き出して、第１捲線プーリー、第２捲線プーリーの係止め部に対応し、押し棒はケース体の孔を通して、ばねを挿入し、係止め部材に接続し、ばねの一端は係止め部材に接続し、他端はケース体内部に係止めて、
該ブラインド巻き上げ装置はさらに、歯車組と同期制御部材を設け、歯車組は上部ケースと下部ケースを噛み合わせたケース体内部に備える２本の突起棒と回転軸接続し、その間に回転軸を備えた第１歯車と第２歯車を設け、第１歯車、第２歯車は側面にローラーを備える第１捲線プーリーと第２捲線プーリーと結合して、第１捲線プーリー、第２捲線プーリーの間に固定棒を設け、前記の係止め部材に固定棒を通す長い孔を設けて、第１歯車、第２歯車に連結し、同期回転を制御し、同期制御部材は第１歯車、第２歯車と噛み合わせて、ケース体内部に備える歯車と回転軸接続することを特徴とするブラインド巻き上げ装置。
【請求項２】
請求項１記載のブラインド巻き上げ装置において、同期制御部材は互いに噛み合わせた二つの歯車を設け、この二つの歯車は第１歯車、第２歯車と噛み合わせておき、ケース体内部に備える２本の突起棒の間に二つの歯車と回転軸接続するための回転軸を向かい合って設けることを特徴とするブラインド巻き上げ装置。
【請求項３】
請求項１記載のブラインド巻き上げ装置において、同期制御部材は第１歯車、第２歯車に連結するベルトであることを特徴とするブラインド巻き上げ装置。
【考案の詳細な説明】
【技術分野】
【０００１】
本考案は一種のブラインドの巻き上げ装置に関わる。
【背景技術】
【０００２】
図１に示すとおり、一般のブラインド２０の下部軌条台２１は、通常引き紐に接続する巻き上げ装置１０を設け、利用者の操作により、そのブラインド２０のよろい板２２巻き上げまたは展開する。図２に示すとおり、巻き上げ装置１０に中空ケース体１１、第１捲線プーリー１２、第２捲線プーリー１３、２枚のばね板１４、および制御組１５より構成する。そのうち、第１捲線プーリー、第２捲線プーリー１２、１３はケース体３１内部に向かい合わせて設け、前述のブラインド２０の引き紐２３、２４に接続し、２枚のばね板１４は第１捲線プーリー、第２捲線プーリー１２、１３の内側にそれぞれ相継ぎする。制御組１５は主に、係止め部材１５１、押し棒１５２およびばね１５３より構成する。押し棒１５２とばね１５３の協働でもって、係止め部材１５１により引き紐２３、２４を抑えて、作動を抑止または引き紐２３、２４を離して、作動できるようにする。
【０００３】
前記の図式と図３に示すとおり、利用者はブラインド２０のよろい板２２を展開時、押し棒１５２を抑えて、係止め部材１５１を引き紐２３、２４から離して、作動できるようにする。さらに、下方向に力量を加わることにより、ブラインド２０のよろい板２２を展開させる。展開するとき、第１捲線プーリー、第２捲線プーリー１２、１３内側に備える２枚のばね板１４も弾性の緊縮状態になり、よろい板２２を展開操作後、押し棒１５２を離すと、ばね１５３の弾性回復働きにより、係止め部材１５１は再び引き紐２３、２４を抑止し、作動を抑止できる。さらに、図４に示すとおり、利用者はブラインド２０のよろい板２２を巻き上げるとき、同じく押し棒１５２を押して、係止め部材１５１を引き紐２３、２４から離す。このとき、弾性緊縮状態の２枚のばね板１４はその弾性回復働きにより、第１捲線プーリー、第２捲線プーリー１２、１３を駆動し、引き紐２３、２４を巻き上げる。よろい板２２を希望の高さに巻き上げられた後、押し棒１５２を離して、係止め部材１５１は再び引き紐２３、２４を押さて、その作動を抑止し、よろい板２２の巻き上げ操作を終了する。
【０００４】
しかしながら、前記の巻き上げ装置１０は使用するとき、第１捲線プーリー、第２捲線プーリー１２、１３を確実に同期回転させる設計でないため、第１捲線プーリー、第２捲線プーリー１２、１３は引き紐２３、２４の巻き上げまたは展開する作動中に、両者の回転速度の違いにより、巻き上げまたは引き下げ中のよろい板２２両側の高さ位置が一致しない。ブラインド２０の装飾効果を大きく減少させ、居住空間の装飾性に影響する。その上、巻き上げ装置１０はブラインド２０を長時間の巻き上げまたは展開操作により、ブラインド２０の破損を引き起こす。
【考案の開示】
【考案が解決しようとする課題】
【０００５】
一種のブラインド巻き上げ装置により、公知技術の巻き上げ装置の第１捲線プーリー、第２捲線プーリーに起きる同期回転できない課題を解決し、ブラインドの巻き上げと展開操作は順調に行える。
【０００６】
一種のブラインド巻き上げ装置、主に中空ケース体、歯車組、捲線プーリー、２枚のばね板、同期制御部材、および制御組より構成する。そのうち、中空ケース体内部２本の突起棒を向かい合わせて設け、両端に開口部を設けて、片側に孔を設ける。歯車組はケース体内部で回転軸接続する２本の突起棒に第１歯車と第２歯車を設ける。捲線プーリーは第１歯車と第２歯車と結合し、２本の突起棒の第１捲線プーリーおよび第２捲線プーリーと回転軸接続する。第１捲線プーリー、第２捲線プーリーの内側に収容溝を設ける。２枚のばね板は第１捲線プーリー、第２捲線プーリーの収容溝に収容し、ばね板は収容溝内側に固定される第１相継ぎ端と突起棒に固定される第２相継ぎ端を設ける。同期制御部材は第１歯車、第２歯車に連結し、同期回転する歯車またはベルトを制御する。制御組は係止め部材、押し棒、およびばねより構成する。係止め部材はケース体内部の第１捲線プーリー、第２捲線プーリーの間に設け、その両側は第１捲線プーリー、第２捲線プーリーの係止め部に対応する。押し棒はケース体の孔を通して、ばねを挿入する。ばねの一端は係止め部材に接続し、他端はケース体の内側に係止める。
【課題を解決するための手段】
【０００７】
請求項１の考案は、一種ブラインド巻き上げ装置において、中空ケース体、捲線プーリー組、２枚のばね板、および制御組より構成し、そのうち、ケース体内部に２本の突起棒を向かい合わせて設け、その両端に開口部を設けて、片側に孔を設け、捲線プーリー組は２本の突起棒と回転軸接続する第１捲線プーリー、第２捲線プーリーを設け、第１捲線プーリー、第２捲線プーリーの内側に収容溝を設け、２枚のばね板は、第１捲線プーリー、第２捲線プーリーの収容溝に取り付けて、ばね板は収容溝内側に固定する第１相継ぎ端と突起棒に固定する第２相継ぎ端を設け、制御組は係止め部材、押し棒、およびばねより構成し、係止め部材はケース体内部に備える第１捲線プーリー、第２捲線プーリーの間に設け、両側を突き出して、第１捲線プーリー、第２捲線プーリーの係止め部に対応し、押し棒はケース体の孔を通して、ばねを挿入し、係止め部材に接続し、ばねの一端は係止め部材に接続し、他端はケース体内部に係止めて、
該ブラインド巻き上げ装置はさらに、歯車組と同期制御部材を設け、歯車組は上部ケースと下部ケースを噛み合わせたケース体内部に備える２本の突起棒と回転軸接続し、その間に回転軸を備えた第１歯車と第２歯車を設け、第１歯車、第２歯車は側面にローラーを備える第１捲線プーリーと第２捲線プーリーと結合して、第１捲線プーリー、第２捲線プーリーの間に固定棒を設け、前記の係止め部材に固定棒を通す長い孔を設けて、第１歯車、第２歯車に連結し、同期回転を制御し、同期制御部材は第１歯車、第２歯車と噛み合わせて、ケース体内部に備える歯車と回転軸接続することを特徴とするブラインド巻き上げ装置としている。
請求項２の考案は、請求項１記載のブラインド巻き上げ装置において、同期制御部材は互いに噛み合わせた二つの歯車を設け、この二つの歯車は第１歯車、第２歯車と噛み合わせておき、ケース体内部に備える２本の突起棒の間に二つの歯車と回転軸接続するための回転軸を向かい合って設けることを特徴とするブラインド巻き上げ装置としている。
請求項３の考案は、請求項１記載のブラインド巻き上げ装置において、同期制御部材は第１歯車、第２歯車に連結するベルトであることを特徴とするブラインド巻き上げ装置としている。
【考案の効果】
【０００８】
本考案は、ブラインドに設ける下部軌条でもって、利用者はよろい板を巻き上げまたは展開するとき、第１捲線プーリー、第２捲線プーリーは第１歯車、第２歯車との結合により、第１歯車、第２歯車の同期回転を制御し、第１捲線プーリー、第２捲線プーリーの巻き上げまたは展開操作のとき、両者の回転速度同期を取り、ブラインドのよろい板が巻き上げまたは展開した後、高さの不一致を防止し、使用寿命の延長効果がある。
【考案を実施するための最良の形態】
【０００９】
図５、６に示すとおり、本考案のブラインド巻き上げ装置３０は中空ケース体１１、歯車組３２、捲線プーリー組３３、２枚のばね板３４、同期制御部材３５、および制御組３６より構成する。
【００１０】
ケース体３１は上部ケース３１１と下部ケース３１２が上下に噛み合わせて構成する。２本の突起棒３１２ａを下部ケース３１２の内側向かい合わせて設け、２本の突起棒３１２ａの間に回転軸３１２ｂを設けて、上下部ケース３１１、３１２を噛み合わせて構成するケース体３１の両端にそれぞれ開口部３１３を設け、その片側に孔３１４を設ける。
【００１１】
歯車組３２はケース体３１に備える２本の突起棒３１２ａの第１歯車３２１および第２歯車３２２と回転軸接続する。
【００１２】
捲線プーリー組３３は第１歯車、第２歯車３２１、３２２と結合した上、２本の突起棒３１２ａの第１捲線プーリー３３１および第２捲線プーリー３３２と回転軸接続する。第１捲線プーリー、第２捲線プーリー３３１、３３２の内側にそれぞれ収容溝３３１ａ、３３２ａを設ける。
【００１３】
２枚のばね板３４は第１捲線プーリー、第２捲線プーリー３３１、３３２の収容溝３３１ａ、３３２ａにそれぞれ取り付ける。ばね板３４により、収容溝３３１ａ、３３２ａ内壁に固定する第１相継ぎ端３４１と、突起棒３１２ａに固定する第２相継ぎ端３４２を固定する。
【００１４】
同期制御部材３５は、第１歯車、第２歯車３２１、３２２に接続し、同期回転を制御する。図５に示す実施例において、同期制御部材３５は第１歯車、第２歯車３２１、３２２とそれぞれに噛み合わせた上、ケース体３１回転軸３１２ｂの歯車３５１と回転軸接続するか、または図１１に示すように、同期制御部材３５に互いに噛み合わせた二つの歯車３５３を設け、この二つの歯車３５３はさらに第１歯車、第２歯車３２１、３２２と噛み合わせる。ケース体３１に同じくこの二つの歯車３５３と回転軸接続するために回転軸３１２ｂを向かい合わせて設け、第１歯車、第２歯車３２１、３２２と第１捲線プーリー、第２捲線プーリー３３１、３３２は回転するとき、歯車３５１、３５３の噛み合わせ駆動により同期回転させる。さらに、図１０に示すとおり、同期制御部材３５は第１歯車、第２歯車３２１、３２２のベルト３５２に接続することにより、第１歯車、第２歯車３２１、３２２と第１捲線プーリー、第２捲線プーリー３３１、３３２を制御し、同期回転の働きを実現できる。
【００１５】
制御組３６は係止め部材３６１、押し棒３６２とばね３６３より構成する。係止め部材３６１はケース体内部に備える第１捲線プーリー、第２捲線プーリー３３１、３３２の間に設け、その両端を突き出して、第１捲線プーリー、第２捲線プーリー３３１、３３２の係止め部３６１ａ、３６１ｂに対応する。押し棒３６２はケース体３１の孔３１４を通して設け、ばね３６３を挿入し、係止め部材３６１に接続する。ばね３６３の一端に係止め部材３６１と接続し、他端はケース体３１の内側に係止める。
【００１６】
また、図５に示すとおり、ケース体３１内部に第１捲線プーリー、第２捲線プーリー３３１、３３２を設け、側面にローラー３１５をそれぞれに設ける。巻き上げ操作を順調に行うため、第１捲線プーリー、第２捲線プーリー３３１、３３２をブラインド５０の引き紐５３、５４に連結したとき、ローラー３１５は引き紐５３、５４を係止める。
【００１７】
さらに、図５に示すとおり、ケース体内部に備える第１捲線プーリー、第２捲線プーリー３３１、３３２の間に固定棒３１６を設け、前記の係止め部材３６１に固定棒３１６を穿設するための長い孔３６１ｃ貫通して設け、係止め部材３６１をケース体３１内部の所定場所に移動させる。
【００１８】
前記の図式と図７、図８に示すとおり、本考案の巻き上げ装置３０は主に、ブラインド５０の下部軌条台５１場所に設け、第１捲線プーリー、第２捲線プーリー３３１、３３２はブラインド５０の引き紐５３、５４に連結し、引き紐５３、５４はケース体３１両端の開口部３１３を通して、ブラインド５０のよろい板５２(図示していない)から引き出す。係止め部材３６１の係止め部３６１ａ、３６１ｂは制御により引き紐５３、５４を抑止しておき、作動または引き紐５３、５４からの離脱を防止する。これにより、利用者はブラインド５０のよろい板５２展開操作のとき、押し棒３６２を押して、係止め部材３６１を引き紐５３、５４から離して、作動できるようにする。さらに下方向へ力量を加わることにより、ブラインド５０のよろい板５２を展開操作ができる。展開するとき、第１捲線プーリー、第２捲線プーリー３３１、３３２内側の２枚のばね板３４は弾性緊縮状態を呈し、よろい板５２展開完了後、押し棒３６２を離してばね３６３の弾性回復働きにより、係止め部材３６１は再び引き紐５３、５４を抑止し、作動を抑止する。さらに、図９に示すとおり、利用者はブラインド５０のよろい板５２を巻き上げるとき、再び押し棒３６２を押して、係止め部材３６１を引き紐５３、５４から離す。このとき、弾性緊縮状態の２枚のばね板３４は弾性回復働きにより、第１捲線プーリー、第２捲線プーリー３３１、３３２を駆動し引き紐５３、５４を巻き上げる。利用者はよろい板５２を希望の高さに巻き上げた後、押し棒３６２を離して、係止め部材３６１は再び引き紐５３、５４を押さえて作動を抑止し、よろい板５２の巻き上げ操作を終了する。
【図面の簡単な説明】
【００１９】
【図１】公知技術の巻き上げ装置をブラインドに取り付けた表示図である。
【図２】公知技術の巻き上げ装置の組み合わせ断面図である。
【図３】公知技術の巻き上げ装置の使用態様図(その１)である。
【図４】公知技術の巻き上げ装置の使用態様図(その２)である。
【図５】本考案の巻き上げ装置の立面分解図である。
【図６】本考案の巻き上げ装置の組み合わせ断面図である。
【図７】本考案をブラインドに取り付けた表示図である。
【図８】本考案の使用態様表示図である(その１)。
【図９】本考案の使用態様表示図である(その２)。
【図１０】本考案もう一つの実施態様表示図である(その１)。
【図１１】本考案もう一つの実施態様表示図である(その２)。
【符号の説明】
【００２０】
１０  巻き上げ装置
１１  中空ケース体
１２  第１捲線プーリー
１３  第２捲線プーリー
１４  ばね板
１５  制御組
１５１  係止め部材
１５２  押し棒
１５３  ばね
２０  ブラインド
２１  下部軌条台
２２  よろい板
２３、２４  引き紐
３０  ブラインド巻き上げ装置
３１  ケース体
３１１  上部ケース
３２  歯車組
３３  捲線プーリー組
３４  ばね板
３５  同期制御部材
３６  制御組
３１２  下部ケース
３１２ａ  突起棒
３１２ｂ  回転軸
３１３  開口部
３１４  孔
３１５  ローラー
３１６  固定棒
３２  歯車組
３３  捲線プーリー組
３２１  第１歯車
３２２  第２歯車
３４  ばね板
３３１  第１捲線プーリー
３３２  第２捲線プーリー
３３１ａ、３３２ａ  収容溝
３４１  第１相継ぎ端
３４２  第２相継ぎ端
３５  制御部材
３５１  歯車
３５２  ベルト
３５３  歯車
３６  制御組
３６１  係止め部材
３６１ａ、３６１ｂ  係止め部
３６１ｃ  長い孔
３６２  押し棒
３６３  ばね
５０  ブラインド
５１  下部軌条台
５２  よろい板
５３、５４  引き紐
【図１】
0003122092.tif 000003
【図２】
0003122092.tif 000004
【図３】
0003122092.tif 000005
【図４】
0003122092.tif 000006
【図５】
0003122092.tif 000007
【図６】
0003122092.tif 000008
【図７】
0003122092.tif 000009
【図８】
0003122092.tif 000010
【図９】
0003122092.tif 000011
【図１０】
0003122092.tif 000012
【図１１】
0003122092.tif 000013